(57)【要約】【課題】  操作性および視認性の良いウェアラブル端末および表示制御プログラムを提供することを目的とする。【解決手段】  メインディスプレイ１１０にメニュー画面Ｍなどの第１の画面を表示し、この第１の画面（メニュー画面Ｍなど）に基づいた所定の操作が行われると、その第１の画面をサブディスプレイ１２０に表示し、メニューが第１画面の下層の画面として定義された第２画面である操作画面Ｓ１を、メインディスプレイに表示する。【選択図】  図５
2016122234.tif 000002
【特許請求の範囲】
【請求項１】
メインディスプレイと、前記メインディスプレイに接続されるサブディスプレイとがユーザの身体に装着可能なブレスレット状に構成されたウェアラブル端末において、
前記メインディスプレイおよび前記サブディスプレイに表示される表示画面に対する操作を受け付ける操作手段と、
前記メインディスプレイに第１画面を表示し、前記第１画面に基づいた操作が前記操作手段により受け付けられると、前記第１画面を前記サブディスプレイに表示し、前記操作に基づいて定められ、前記第１画面の下層の画面として定義された第２画面を、前記メインディスプレイに表示するように制御する制御手段と、
を備えるウェアラブル端末。
【請求項２】
前記メインディスプレイを挟んで、前記サブディスプレイと対向する側に接続される第２のサブディスプレイをさらに備え、
前記制御手段は、前記メインディスプレイに前記第２画面が表示されると、前記第２画面の下層の画面として定義される第３画面を、前記第２のサブディスプレイに表示するよう制御する、請求項１に記載のウェアラブル端末。
【請求項３】
前記メインディスプレイに表示される画面の表示向きに基づいた上側に前記サブディスプレイを接続し、下側に前記第２のサブディスプレイを接続する、請求項２に記載のウェアラブル端末。
【請求項４】
前記第１画面は、操作対象項目を選択するためのメニュー画面であり、
前記第２画面は、選択された操作対象項目の下層に定義された操作画面である、
請求項１から３のいずれか一項に記載のウェアラブル端末。
【請求項５】
メインディスプレイと、前記メインディスプレイに接続されるサブディスプレイとがユーザの身体に装着可能なブレスレット状に構成されたウェアラブル端末に対して、
前記メインディスプレイおよび前記サブディスプレイに表示される表示画面に対する操作を受け付ける操作ステップと、
前記メインディスプレイに第１画面を表示し、前記第１画面に基づいた操作が前記操作ステップにおいて受け付けられると、前記第１画面を前記サブディスプレイに表示し、前記操作に基づいて定められ、前記第１画面の下層の画面として定義された第２画面を、前記メインディスプレイに表示するように制御する制御ステップと、
をコンピュータにより実行させる表示制御プログラム。
【発明の詳細な説明】
【技術分野】
【０００１】
本発明は、タッチパネルディスプレイを備えたウェアラブル端末および表示制御プログラムに関する。
【背景技術】
【０００２】
複数のタッチパネルをブレスレット状に構成するものとして、特許文献１に記載の技術が挙げられる。この特許文献１に記載の技術には、各タッチパネルにおいて、様々な情報を表示しておき、一のタッチパネルに対して所定の操作を行うことにより、タッチパネルに表示されている表示画面を、各タッチパネルを跨いでスクロール表示させることの記載がある。
【先行技術文献】
【特許文献】
【０００３】
【特許文献１】米国特許出願公開第２０１３／０２７１４９５号明細書
【発明の概要】
【発明が解決しようとする課題】
【０００４】
しかしながら、上記特許文献１に記載の技術においては、一般的なモバイル端末において利用されている各種アプリケーションを適用した場合、その操作性や視認性において使い勝手の悪さが想定される。例えば、特許文献１に記載のようなウェアラブル型の携帯端末においては、ＰＣやスマートフォンなどと比較してそのディスプレイが大変小さく、操作性もさることながら、その視認性も大変悪いものである。したがって、ＰＣやスマートフォンなどの表示態様をそのまま適用することが困難であり、例えば端末の設定画面や、メールアプリケーションに対する操作性やその視認性が大変悪いものであることが想定される。
【０００５】
そこで、本発明においては、操作性および視認性の良いウェアラブル端末および表示制御プログラムを提供することを目的とする。
【課題を解決するための手段】
【０００６】
上述の課題を解決するために、本発明のウェアラブル端末は、メインディスプレイと、前記メインディスプレイに接続されるサブディスプレイとがユーザの身体に装着可能なブレスレット状に構成されたウェアラブル端末において、前記メインディスプレイおよび前記サブディスプレイに表示される表示画面に対する操作を受け付ける操作手段と、前記メインディスプレイに第１の画面を表示し、前記第１画面に基づいた操作が前記操作手段により受け付けられると、前記第１画面を前記サブディスプレイに表示し、前記操作に基づいて定められ、前記第１画面の下層の画面として定義された第２画面を、前記メインディスプレイに表示するように制御する制御手段と、を備える。
【０００７】
また、本発明の表示制御プログラムは、メインディスプレイと、前記メインディスプレイに接続されるサブディスプレイとがユーザの身体に装着可能なブレスレット状に構成されたウェアラブル端末に対して、前記メインディスプレイおよび前記サブディスプレイに表示される表示画面に対する操作を受け付ける操作ステップと、前記メインディスプレイに第１画面を表示し、前記第１画面に基づいた操作が前記操作手段により受け付けられると、前記第１画面を前記サブディスプレイに表示し、前記操作に基づいて定められ、前記第１画面の下層の画面として定義された第２画面を、前記メインディスプレイに表示するように制御する制御ステップと、をコンピュータにより実行される。
【０００８】
この発明によれば、メインディスプレイに第１の画面を表示し、第１画面に基づいた所定の操作が行われると、第１画面をサブディスプレイに表示し、第１画面の下層の画面として定義された第２画面を、メインディスプレイに表示する。これにより、表示画面の階層関係が分かりやすくなり、操作性および視認性向上に寄与することができる。
【０００９】
また、本発明のウェアラブル端末は、前記メインディスプレイを挟んで、前記サブディスプレイと対向する側に接続される第２のサブディスプレイをさらに備え、前記制御手段は、前記メインディスプレイに前記第２画面が表示されると、前記第２画面の下層の画面として定義される第３画面を、前記第２のサブディスプレイに表示するよう制御するよう構成する。
【００１０】
この発明によれば、メインディスプレイに第２画面が表示されると、第２画面の下層の画面として定義される第３画面を、第２のサブディスプレイに表示するよう制御する。これにより、表示画面の階層関係が分かりやすくなり、操作性および視認性向上に寄与することができる。特に、第２画面の下層の画面も把握することができ、より一層の操作性向上に寄与することができる。
【００１１】
また、本発明のウェラブル端末は、前記メインディスプレイに表示される画面の表示向きに基づいた上側に前記サブディスプレイを接続し、下側に前記第２のサブディスプレイを接続する。
【００１２】
この構成により、メインディスプレイに表示される画面の表示向きに基づいた上側にサブディスプレイを接続し、下側に前記第２のサブディスプレイを接続することで、第１画面から第３画面を下からスライド表示することができ、その階層関係をより明確にすることができ、視認性を向上することができる。
【００１３】
また、本発明のウェアラブル端末において、前記第１画面は、操作対象項目を選択するためのメニュー画面であり、前記第２画面は、選択された操作対象項目の下層に定義された操作画面である。
【００１４】
この構成により、メニュー画面から順にその操作画面を表示することができ、その操作性を向上させることができる。
【発明の効果】
【００１５】
本発明によれば、表示画面の階層関係が分かりやすくなり、操作性および視認性を向上することができる。
【図面の簡単な説明】
【００１６】
【図１】本実施形態のウェアラブル端末１００の外観構成を示す外観図である。
【図２】ウェアラブル端末１００の機能を示すブロック図である。
【図３】各表示画面の階層関係を管理する管理テーブルの概念を示す説明図である。
【図４】ウェアラブル端末１００の処理を示すフローチャートである。
【図５】メニュー画面からの設定を選択したときの操作画面の表示遷移を示す説明図である。
【図６】メニュー画面からのメール機能を選択した時の操作画面の表示遷移を示す説明図である。
【発明を実施するための形態】
【００１７】
添付図面を参照しながら本発明の実施形態を説明する。可能な場合には、同一の部分には同一の符号を付して、重複する説明を省略する。
【００１８】
図１は、本実施形態のウェアラブル端末１００の外観構成を示す外観図である。図１に示されるように、このウェアラブル端末１００は、一つのメインディスプレイ１１０と、複数のサブディスプレイ１２０〜１５０とから構成されている。このメインディスプレイ１１０の上下方向（連接方向）の両端部には、サブディスプレイ１２０とサブディスプレイ１３０とが、揺動可能に接続されている。さらに、その両端部には、サブディスプレイ１４０〜１５０がそれぞれ連接されており、アジャスト部１６０およびアジャスト部１７０をつなげることにより、ブレスレット状にウェアラブル端末１００を構成することができ、ユーザの手首に装着することができる。
【００１９】
本実施形態のウェアラブル端末１００は、メインディスプレイ１１０が、タッチパネル機能を有しており、ユーザは、そのタッチ面に対してタップ等することにより操作することができる。他のサブディスプレイ１２０〜１５０は、タッチパネル機能を必須としないが、あってもよい。
【００２０】
そして、このウェアラブル端末１００は、メインディスプレイ１１０に、複数の表示画面のうちその最上位層の表示画面、例えばユーザにより操作・選択させるためのメニュー画面を表示する。そして、メインディスプレイ１１０は、そのメニュー画面に対して、ユーザによるアプリケーション等の選択を受け付けると、そのアプリケーションを操作するための操作画面を表示するとともに、サブディスプレイ１２０は、その表示画面（メニュー画面）をスライド表示する。
【００２１】
このように、メインディスプレイ１１０は、メニュー画面等の表示を行なうとともに、ユーザからの操作を受け付け、それに応じた表示を行なうとともに、サブディスプレイ１２０は、メインディスプレイ１１０に表示されていた表示画面を表示することができる。サブディスプレイ１３０は、サブディスプレイ１２０とは異なり、メインディスプレイ１１０に表示されている表示画面の下層に定義されている表示画面を表示することで、ユーザは、現に表示されている表示画面のつぎに操作することができる内容を把握することができる。
【００２２】
つぎに、ウェアラブル端末１００において、上述の通りの表示処理を実行するための機能構成について説明する。図２は、ウェアラブル端末１００の機能を示すブロック図である。図２に示される通り、このウェアラブル端末１００は、ＣＰＵ１０１、ＲＡＭ１０２、ＲＯＭ１０３、無線通信部１０４、タッチコントロール部１０５、表示制御部１０６（制御手段）、メインディスプレイ１１０、およびサブディスプレイ１２０〜１５０を備えている。
【００２３】
ＣＰＵ１０１は、ウェアラブル端末１００を制御する部分である。ＲＡＭ１０２およびＲＯＭ１０３は、そこに記憶されているプログラムを実行するためのワークエリアを展開する部分である。
【００２４】
無線通信部１０４は、公衆移動通信網や、ＷＬＡＮ等のネットワークと接続するための通信モジュールである。本実施形態においては、ネットワークを介して送信された電子メール等を受信することができる。
【００２５】
タッチコントロール部１０５は、メインディスプレイ１１０に備えられているタッチパネル機能（操作手段）に対する制御を行い、メインディスプレイ１１０におけるタップ操作に応じた制御を行う部分である。例えば、ユーザがメインディスプレイ１１０の所定の位置をタップ操作すると、その位置に応じた制御を行い、また所定のフリック操作を行うと、そのフリック操作を検出してそれに応じた制御を行う。
【００２６】
表示制御部１０６は、メインディスプレイ１１０およびサブディスプレイ１２０〜１５０に対する表示制御を行う部分である。例えば、表示制御部１０６は、メインディスプレイ１１０に表示されているメニュー画面の所定のアイコンがタップされると、そのアイコンに応じた操作画面をメインディスプレイ１１０に表示するとともに、メインディスプレイ１１０に表示されていたメニュー画面をサブディスプレイ１２０にスライド表示させる制御を行なう。そのほかにも、表示制御部１０６は、メインディスプレイ１１０に対するタップ操作に基づいた表示処理や、フリック操作に基づいたスクロール表示処理を行なう。
【００２７】
表示データ格納部１０７は、メインディスプレイ１１０および各サブディスプレイ１２０〜１５０に表示する表示データおよびメニュー画面などの表示画面の階層関係の管理テーブルを記憶する部分である。例えば、本装置のメニュー画面を構成するための画面や、このメニュー画面を構築する操作対象項目（アイコン）の画像データ、そのほか各種アプリケーションを記憶する。また、図４に示されるようなメニュー画面を最上層とする各表示画面の階層関係を示す管理テーブルを記憶する。
【００２８】
ここで、本実施形態における管理テーブルについて、図３を用いて説明する。図３は、その管理テーブルの概念を示す説明図である。この管理テーブルにおいては、第１層〜第３層からなるメニュー画面の構成例を示しており、その最上位層においてメニュー画面が定義づけられており、その下層に、メール機能、設定画面、およびカメラ機能などの操作画面が定義付けられている。さらにメール機能の下層には、受信トレイ、送信済み、および削除済みなどのメールを保存するためのフォルダが定義付けられており、他の機能についても、それぞれの下層の操作対象項目が定義付けられている。
【００２９】
タッチコントロール部１０５および表示制御部１０６は、この管理テーブルに記述されている表示画面の階層関係に基づいて、タップされたアイコンに対応付けられた操作画面を読み出し、メインディスプレイ１１０に表示することができる。
【００３０】
メインディスプレイ１１０は、ユーザが手首に本装置を装着した場合に、手の甲側に位置するよう配置された、ユーザによりタップ操作可能なタッチパネルである。このメインディスプレイ１１０は、ユーザにとって有用な情報を表示するための部分であり、いくつかある機能やアプリケーションを選択するための複数のアイコンからなるメニュー画面を表示したり、そのアプリケーションを操作するための操作画面を表示する。
【００３１】
サブディスプレイ１２０〜１５０は、メインディスプレイ１１０に表示されたメニュー画面に基づいて定義された表示画面や、操作によってスクロール処理されたメニュー画面そのほかの表示画面を表示する部分である。これらサブディスプレイ１２０〜１５０のうち、サブディスプレイ１２０は、メインディスプレイ１１０の表示の向きを基準に、その上側に連結されるものである。このサブディスプレイ１２０は、そのメインディスプレイ１１０に対する所定の操作に応じて、メインディスプレイ１１０に表示されていた表示画面をスライドさせて表示する。
【００３２】
また、サブディスプレイ１３０は、メインディスプレイ１１０に表示される表示画面の下層に定義される表示画面を表示する。例えば、メインディスプレイ１１０にメールのアプリケーションに対する操作画面が表示されていた場合、その操作画面に対して下層に定義される表示画面、例えば、受信リストなどの画面を表示する。
【００３３】
他のサブディスプレイ１４０および１５０は、ユーザによりスクロール指示がなされた場合に、それぞれのサブディスプレイ１４０および１５０に連結されているサブディスプレイに表示された表示画面を表示する部分である。
【００３４】
このように構成されたウェアラブル端末１００は、メインディスプレイ１１０に表示された表示画面(メニュー画面等)に対する操作に従って、サブディスプレイ１２０等にその下層の操作画面を表示したり、またはユーザによるフリック操作を受け付けることで、スクロール表示を行なうことができる。
【００３５】
つぎに、このウェアラブル端末１００の処理について説明する。このウェアラブル端末１００は、ＲＡＭ１０２またはＲＯＭ１０３（若しくは図示しないフラッシュメモリ）に記憶される表示制御プログラムがＣＰＵ１０１により実行されることにより、以下の動作を実現することができる。
【００３６】
図４は、ウェアラブル端末１００の処理を示すフローチャートである。図４に示される通り、まず電源オンや、ホームボタン（図示せず）押下等によりメニュー画面がメインディスプレイ１１０に表示される（Ｓ１０１）。ここで、ユーザにより、メニュー画面に対するタップ操作が、そのタッチパネル機能に従ってメインディスプレイ１１０により受け付けられると（Ｓ１０２）、そのタップ操作により選択されたアプリケーションを起動するために、メインディスプレイ１１０に表示されているメニュー画面がサブディスプレイ１２０にスライドされ、表示される（Ｓ１０３）。
【００３７】
そして、表示制御部１０６により、起動されたアプリケーションを操作するための操作画面が管理テーブルから読み出され、メインディスプレイ１１０に、その操作画面が表示される（Ｓ１０４）。これら表示処理の後、またはそれと並行して、第２サブディスプレイとして機能するサブディスプレイ１３０に、メインディスプレイ１１０に表示されている操作画面の下層の表示画面として定義される操作画面が表示される（Ｓ１０５）。
【００３８】
このようにメインディスプレイ１１０、サブディスプレイ１２０、およびサブディスプレイ１３０にそれぞれメニュー画面および操作画面が表示された状態で、ユーザによりメインディスプレイ１１０に対する操作が受け付けられる。ここで、メインディスプレイ１１０に表示されている操作画面のうち、任意の機能を実行することを選択するためのタップ操作がなされると、そのタップされた操作対象項目が判断される（Ｓ１０７）。
【００３９】
そして、その判断処理が行われるとともに、操作画面がサブディスプレイ１２０にスライドされ、表示される（Ｓ１０８）。また、タップされた操作対象項目に対応する操作画面が、メインディスプレイ１１０に表示される（Ｓ１０９）。第２のサブディスプレイとして機能するサブディスプレイ１３０には、その操作画面の下層に定義される操作画面が表示される（Ｓ１１０）。
【００４０】
処理Ｓ１０７〜Ｓ１１０は、メインディスプレイ１１０に対して任意の操作対象項目に対するタップ操作に基づいた処理であり、下層の操作画面として定義される画面がある限り、タップ操作がされる度にその下層の操作画面を表示する処理である。
【００４１】
一方で、操作受付として、フリック操作が受け付けられたと、タッチコントロール部１０５により判断されると（Ｓ１０６）、タッチコントロール部１０５により、そのフリック方向が判断され（Ｓ１１１）、表示制御部１０６により、メインディスプレイ１１０、サブディスプレイ１２０、およびサブディスプレイ１３０に対する操作画面の表示処理が行われる（Ｓ１１２）。
【００４２】
このように構成されたウェアラブル端末１００の実際の表示例について説明する。図５は、操作画面の表示遷移を示す説明図である。図５（ａ）は、メインディスプレイ１１０にメニュー画面を表示しているときの説明図である。図５（ａ）に示されている通り、メインディスプレイ１１０には、メニュー画面が表示されており、他のサブディスプレイ１２０等には、何も表示されていない。これは、電源オン直後や、ホームボタン押下によりメニュー画面Ｍに戻った時の状態である。
【００４３】
図５（ｂ）は、メニュー画面Ｍのうち操作画面Ｓ１を示す操作対象項目をタップ（選択）したときの説明図である。図５（ｂ）に示されている通り、メインディスプレイ１１０には、操作画面Ｓ１が表示されており、サブディスプレイ１２０には、メニュー画面Ｍが、サブディスプレイ１３０には、操作画面Ｓ１の下層に定義付けられているものであって、その筆頭に定義付けされているディスプレイ設定画面Ｓ１１が表示されている。
【００４４】
図５（ｃ）は、操作画面Ｓ１のうち“ディスプレイ”という項目をタップすることによりディスプレイ設定画面Ｓ１１を表示するときの説明図であり、そのサブディスプレイ１３０には、ディスプレイ設定画面Ｓ１１の下層に定義される明るさ設定画面Ｓ１１１が表示される。図５（ｂ）と同様に、各設定画面やメニュー画面Ｍは、サブディスプレイ１４０等にスライド表示される。
【００４５】
図５（ｄ）は、メインディスプレイ１１０に対してフリック操作をした時の表示画面のスクロール状態を示す説明図である。図に示される通り、メインディスプレイ１１０に対してフリック操作を行なうことにより、メニュー画面Ｍやそのほか設定画面Ｓ１１等がスクロール表示され、それぞれメニュー画面Ｍは、サブディスプレイ１５０に、操作画面Ｓ１は、サブディスプレイ１４０に、それぞれ順繰りとスクロールして表示される。なお、他の画面についても同様にスクロール表示される。
【００４６】
つぎに、メニュー画面Ｍにおけるメール機能を選択した時の表示画面遷移について説明する。図６（ａ）は、図５（ａ）と同様の電源オン直後等のホーム状態を示す。図６（ｂ）は、メニュー画面Ｍにおいてメール操作画面Ｓ２を選択したときの表示例を示す。ここでは、メインディスプレイ１１０にメール操作画面Ｓ２が表示され、サブディスプレイ１２０に、メニュー画面Ｍが表示され、サブディスプレイ１３０に、受信トレイに保持されている各メールの受信リスト画面Ｓ２１が表示されている。これら画面は、上述した管理テーブルに記憶されている各種画面が読み出された、操作画面として表示される。
【００４７】
図６（ｃ）は、メニュー画面Ｍにおける“受信トレイ”の項目をタップした時の画面例である。ここでは、さらにメニュー画面Ｍやメール操作画面Ｓ２が、それぞれサブディスプレイ１４０、およびサブディスプレイ１２０にスライド表示され、メインディスプレイ１１０に受信リスト画面Ｓ２１が表示される。そして、ここでは、サブディスプレイ１３０には、受信リスト画面Ｓ２１の筆頭に定義付けされる受信メールＳ２１１のメール本文Ｍａが表示される。
【００４８】
図６（ｄ）は、受信リスト画面Ｓ２１のうち、最上位の受信メールＳ２１１を選択し、そのメール本文Ｍａを示す説明図である。図６(ｄ)に示される通り、受信メールＳ２１１が選択されると、そのメール本文Ｍａがメインディスプレイ１１０に表示される。他のメニュー画面Ｍ、メール操作画面Ｓ２、受信リスト画面Ｓ２１等は、それぞれメインディスプレイ１１０、サブディスプレイ１２０等にスライド表示される。なお、ここでは、受信リスト画面Ｓ２１における一の受信メールＳ２１１に対してタップをすることにより選択処理を行なった例を示しているが、メインディスプレイ１１０に対してフリック操作を行なうことにより、サブディスプレイ１３０に表示されているメール本文Ｍａをメインディスプレイ１１０にスライド表示させるようにしてもよい。
【００４９】
図６（ｅ）は、メインディスプレイ１１０に受信リスト画面Ｓ２１を表示している時の変形例を示す図である。この例においては、サブディスプレイ１２０およびサブディスプレイ１４０にメール本文Ｍａおよびメール本文Ｍｂを表示している例を示している。このような表示を行なうにあたって、表示制御部１０６は、メインディスプレイ１１０に受信リスト画面Ｓ２１を表示するように制御している時に、管理テーブルおよびその受信リストに従って、サブディスプレイ１２０およびサブディスプレイ１４０は、メール本文ＭａおよびＭｂを表示する。
【００５０】
このようにメインディスプレイ１１０に対してタップ操作や、フリック操作を行なうことにより、各メインディスプレイ１１０およびサブディスプレイ１２０等における表示画面が順々に移り変わることで、その視認性や操作性を向上させることができる。
【００５１】
つぎに、本実施形態におけるウェアラブル端末１００の作用効果について説明する。このウェアラブル端末１００によれば、メインディスプレイ１１０にメニュー画面Ｍなどの第１の画面を表示し、この第１の画面（メニュー画面Ｍなど）に基づいた所定の操作が行われると、その第１の画面をサブディスプレイ１２０に表示し、メニューが第１画面の下層の画面として定義された第２画面である操作画面Ｓ１を、メインディスプレイに表示する。
【００５２】
例えば、図５を参照してみると、メインディスプレイ１１０に、メニュー画面Ｍが表示され、ユーザにより“設定”がタップされると、メインディスプレイ１１０に操作画面Ｓ１が表示されるとともに、サブディスプレイ１２０にメニュー画面Ｍがスライドされ表示される。
【００５３】
これにより、各表示画面における階層関係、つまり図５でいうところのメニュー画面Ｍと操作画面Ｓ１との階層関係が分かりやすくなり、操作性および視認性を向上させることができる。
【００５４】
さらに、本実施形態のウェアラブル端末１００においては、  メインディスプレイ１１０を挟んで、サブディスプレイ１２０と対向する側に接続される第２のサブディスプレイであるサブディスプレイ１３０をさらに備える。そして、メインディスプレイ１１０に第２画面である操作画面Ｓ１が表示されると、その下層の画面として定義される第３画面であるディスプレイ設定画面Ｓ１１を、サブディスプレイ１２０に表示するよう制御する。これにより、各表示画面の階層関係がさらに分かりやすくなり、操作性および視認性を向上させることができる。特に、第２画面である操作画面Ｓ１の下層に定義される画面も把握することができ、より一層の操作性を向上させることができる。
【００５５】
また、本実施形態におけるウェアラブル端末１００において、メインディスプレイ１１０に表示される表示画面の表示向きを基準として、その上側にサブディスプレイ１２０を接続し、下側にサブディスプレイ１３０を接続することで、メニュー画面Ｍ、操作画面Ｓ１およびディスプレイ設定画面Ｓ１１を下からそれぞれスライド表示することができ、その階層関係をより明確にすることができ、視認性を向上させることができる。
【００５６】
また、本実施形態におけるウェアラブル端末１００において、第１画面として、操作対象項目を選択するためのメニュー画面Ｍを定義し、第２画面は、メニュー画面Ｍにおいて任意に選択された操作対象項目の下層に定義された操作画面Ｓ１とすることで、メニュー画面Ｍから順にその操作画面Ｓ１を表示することができ、その操作性を向上させることができる。
【００５７】
また、本実施形態の表示制御プログラムは、メインディスプレイ１１０と、メインディスプレイに接続されるサブディスプレイ１２０とがユーザの身体に装着可能なブレスレット状に構成されたウェアラブル端末１００に対して、メインディスプレイ１１０およびサブディスプレイ１２０に表示される表示画面に対する操作を受け付ける操作ステップと、メインディスプレイ１１０に第１画面として、例えばメニュー画面Ｍを表示し、このメニュー画面Ｍに基づいた操作が操作ステップにおいて受け付けられると、メニュー画面Ｍをサブディスプレイ１２０に表示し、その操作に基づいて定められ、メニュー画面Ｍの下層の画面として定義された第２画面である操作画面Ｓ１を、メインディスプレイ１１０に表示するように制御する制御ステップと、をコンピュータにより実行させる。
【００５８】
この表示プログラムは、コンピュータにより読み取り可能な記録媒体であるＣＤ−ＲＯＭやＤＶＤ、ＵＳＢメモリなどに保持され、必要に応じて情報処理装置であるウェアラブル端末１００にインストールされる。また、ユーザの操作によって、有線・無線通信網である電気通信回線を介して、上記表示プログラムが電送されることで、情報処理装置である上記ウェアラブル端末１００にインストールされるようにしてもよい。
【符号の説明】
【００５９】
１００…ウェアラブル端末、１０４…無線通信部、１０５…タッチコントロール部、１０６…表示制御部、１０７…表示データ格納部、１１０…メインディスプレイ、１２０…サブディスプレイ、１３０…サブディスプレイ、１４０…サブディスプレイ、１５０…サブディスプレイ、１６０…アジャスト部、１７０…アジャスト部。
【図１】
2016122234.tif 000003
【図２】
2016122234.tif 000004
【図３】
2016122234.tif 000005
【図４】
2016122234.tif 000006
【図５】
2016122234.tif 000007
【図６】
2016122234.tif 000008